(57)【特許請求の範囲】
【請求項１】
貯蔵室を内部に設けた本体の側方には温度制御ユニットを収納する機械室が設けられ、前記温度制御ユニットは機械室の前面に開口された出入口から引き出し可能に収納されるとともに、前記出入口を開閉する開閉扉が設けられて、その出入口側に設けられたマグネットで磁気吸着されることにより閉鎖状態に保持されるようにした貯蔵庫において、
前記機械室の側面を構成するサイドパネルの前縁が直角曲げされることで前記開閉扉が当接する当接面が形成される一方、前記機械室内における前記当接面の側方には、その当接面よりも後退した位置に別部材の取付部材が設けられ、前記マグネットは、その吸着面を前記当接面と同一面上に位置させて前記取付部材上に取り付けられていることを特徴とする貯蔵庫。
【請求項２】
貯蔵室を内部に設けた本体の側方には温度制御ユニットを収納する機械室が設けられ、前記温度制御ユニットは機械室の壁面に開口された出入口から引き出し可能に収納されるとともに、前記出入口を開閉する開閉扉が設けられて、その出入口側に設けられたマグネットで磁気吸着されることにより閉鎖状態に保持されるようにした貯蔵庫において、
前記出入口における前記開閉扉が当接する部材の側方には、その当接部材の当接面よりも後退した位置に別部材の取付部材が設けられ、前記マグネットは、その吸着面を前記当接部材の当接面と同一面上に位置させて前記取付部材上に取り付けられており、
かつ前記取付部材は、前記機械室の天井側から垂下して設けられた取付板と、前記温度制御ユニットを引き出し操作すべくその温度制御ユニットの下部に設けられた把手との上下一対から構成されていることを特徴とする貯蔵庫。
【発明の詳細な説明】
【０００１】
【発明の属する技術分野】
本発明は、温度制御ユニットが引き出し形式で収納される貯蔵庫において、そのユニットを収納する機械室の開閉扉をマグネットにより閉鎖状態に保持する部分の改良に関する。
【０００２】
【従来の技術】
従来、冷却ユニットの組み付けやメンテナンスを容易にするために、ユニット全体を引き出し可能に収納する冷蔵庫が提案されている。これは、例えば図１０に示すように、貯蔵物を収納する冷蔵室を内部に設けた本体９１の側方に、パネルを組み付けることにより前面側を開口した機械室９２が形成され、この機械室９２に冷却ユニット９３が出し入れされて収納される。そして機械室９２の前面の開口は、本体９１に揺動自由に支持されたフロントパネル９４で閉じられるようになっている。
【０００３】
ところで、上記のフロントパネル９４をいわゆるマグネットキャッチにより閉鎖状態に保持しようとする場合は、サイドパネル９５の前縁に内方に直角曲げされたフランジ９６を形成してフロントパネル９４の揺動端を当てるようにし、そのフランジ９６にマグネット９７を取り付けることが考えられる。その場合、フランジ９６の表面にそのままマグネット９７を取り付けると、フロントパネル９４がフランジ９６から浮いた状態で閉じられてしまうので、フランジ９６に取付用の凹部９８を設けてそこにマグネット９７を嵌めて取り付けることが行われていた。
【０００４】
【発明が解決しようとする課題】
そのような凹部９８は例えばフランジ９６を曲げ加工することで形成されるが、もともと幅の狭いフランジ９６に曲げ加工を施さねばならず、それに加えてマグネット９７の取付用の孔開け加工等が必要となるため、加工作業に手間が掛かってコストアップが避けられなかった。
また別の方法として、フランジ９６を二層構造とし、表面側の板に切欠きを設けることで凹部９８を形成することも行われているが、同じく加工に手間が掛かることに加え、切欠きにごみ等がたまりやすい欠点があった。
本発明は叙上の点に鑑み完成されたものであって、マグネットを取り付ける部分の構造を簡単にすることを目的とする。
【０００５】
【課題を解決するための手段】
上記の目的を達成するため手段として、請求項１の発明は、貯蔵室を内部に設けた本体の側方には温度制御ユニットを収納する機械室が設けられ、前記温度制御ユニットは機械室の前面に開口された出入口から引き出し可能に収納されるとともに、前記出入口を開閉する開閉扉が設けられて、その出入口側に設けられたマグネットで磁気吸着されることにより閉鎖状態に保持されるようにした貯蔵庫において、前記機械室の側面を構成するサイドパネルの前縁が直角曲げされることで前記開閉扉が当接する当接面が形成される一方、前記機械室内における前記当接面の側方には、その当接面よりも後退した位置に別部材の取付部材が設けられ、前記マグネットは、その吸着面を前記当接面と同一面上に位置させて前記取付部材上に取り付けられているところに特徴を有する。
【０００６】
請求項２の発明は、貯蔵室を内部に設けた本体の側方には温度制御ユニットを収納する機械室が設けられ、前記温度制御ユニットは機械室の壁面に開口された出入口から引き出し可能に収納されるとともに、前記出入口を開閉する開閉扉が設けられて、その出入口側に設けられたマグネットで磁気吸着されることにより閉鎖状態に保持されるようにした貯蔵庫において、前記出入口における前記開閉扉が当接する部材の側方には、その当接部材の当接面よりも後退した位置に別部材の取付部材が設けられ、前記マグネットは、その吸着面を前記当接部材の当接面と同一面上に位置させて前記取付部材上に取り付けられており、かつ前記取付部材は、前記機械室の天井側から垂下して設けられた取付板と、前記温度制御ユニットを引き出し操作すべくその温度制御ユニットの下部に設けられた把手との上下一対から構成されているところに特徴を有する。
【０００７】
【発明の作用および効果】
＜請求項１の発明＞
マグネットは、出入口における開閉扉が当接する当接面とは別に設けられた取付部材上に取り付けられ、かつその吸着面が当接面と同一面に来るように設定される。したがって開閉扉は、マグネットで吸着されつつ当接面に密着して閉じた状態に保持される。
すなわち本発明によれば、開閉扉が当接される当接面にわざわざマグネット取付用の凹部を設ける必要がなくて簡単な取付構造とすることができ、製造コストの低減を図ることができる。また凹部にごみ等が溜まって吸着不良を起こすことを未然に防止することができる。
【０００８】
＜請求項２の発明＞
一方のマグネットは機械室の天井側から垂下した取付板に取り付けられる。そのマグネットの吸着面は、開閉扉が当接する部材の当接面と同一面に来るように設定される。他方のマグネットは、温度制御ユニットに設けられた引き出し操作用の把手に取り付けられる。この場合は温度制御ユニットが正規に収納されたところで、マグネットの吸着面が、開閉扉の当接面と同一面に来るように設定される。このようにしてマグネットが上下に対をなして設けられる。したがって開閉扉が閉じられると、両マグネットで吸着されつつ密閉状態で保持される。
上記の効果に加え、上下一対のマグネットは開閉扉の最上部と最下部とを吸着することができるので、より強固に閉鎖状態に保持することができる。
【０００９】
【発明の実施の形態】
以下、本発明の一実施形態を図１ないし図９に基づいて説明する。
図１ないし図３において、符号１は冷蔵庫の本体であって、前面に開口した横長の箱形に形成され、その内部に食材を貯蔵する冷蔵室２が構成されている（図４参照）。前面の開口には観音開き式の扉３が備えられており、底面の四隅に設けられた脚４によって支持されている。
【００１０】
本体１の正面から見て左側部には、冷却ユニット６が取り出し可能に収納されるようになっている。詳細には、本体１における左側部の上部側には、外方に張り出すようにして、かつ本体１の前面および後面からそれぞれ所定寸法ずつ内方に引っ込むようにして直方体状の膨出部８が形成され、その内部が冷却室９となっている。この膨出部８を含む本体１を構成する壁面の内部には断熱材７が充填されており、外部に対する断熱性が確保されている。冷却室９の前面壁には出入口１０が形成されているとともに、冷却室９の下面側には収納スペース１１が構成されており、この収納スペース１１と冷却室９とによって、凝縮器２３、圧縮機２０、冷却器（蒸発器）２７等からなる冷却ユニット６が引き出し自在に収納されるようになっている。
【００１１】
収納スペース１１において、本体１の側面の下縁には浅皿状をなす受け板１３の一側縁が固定されている。また、膨出部８の側面の下縁における前後両端部からは、一対の支持フレーム１４が垂下して取り付けられ、各支持フレーム１４の下端に受け板１３のもう一方の側縁が固定され、これにより受け板１３の支持がなされている。この受け板１３上には、冷却ユニット６の基板１５が載置可能とされている。
【００１２】
この基板１５は左右両側縁が折曲げられた伏コ字形に形成されているとともに、その手前側の端縁には、板材を上面が開口した溝状に形成してなる把手１７が設けられている。この把手１７は、冷却ユニット６を引き出し操作する場合に使用される。この把手１７の奥側の側板１７ａは、上記した収納スペース１１に設けられた受け板１３の前縁から立ち上がって形成されたねじ受け片１８に当接可能である。ねじ受け片１８にはねじ孔５１が形成されているとともに、把手１７の奥側の側板１７ａには、ねじ５２の挿通孔５３が対応して形成されており、また把手１７の手前側の側板１７ｂには、ねじ５２の挿入を許容する逃がし用の切欠き５４が形成されている。
【００１３】
すなわち冷却ユニット６の基板１５は、収納スペース１１に配された受け板１３上に前方から押し込まれ、把手１７の奥側の側板１７ａが受け板１３のねじ受け片１８に突き当たることで押し込みが停止され、ねじ５２を切欠き５４から挿通孔５３を通してねじ受け片１８のねじ孔５１に螺合して締め付けることによって、基板１５が所定位置で固定されるようになっている。
【００１４】
冷却ユニット６は、収納スペース１１に収められる部分と、冷却室９内に収められる部分とに分かれ、これらが上記の基板１５上において上下に積み上げ状に配置されている。収納スペース１１に収められる部分として、奥側に圧縮機２０、その手前側にモータ２２で駆動される凝縮器ファン２１、最も手前側に凝縮器２３がそれぞれ配置されている。また凝縮器２３の上面には、上記した冷却室９の出入口１０を閉塞するための冷却室蓋２５がＬ型ブラケット２６を介して固定されている。冷却室蓋２５の裏面側には、冷却室９に対して出し入れ可能な冷却器２７がブラケット２８を介して取り付けられている。この冷却器２７はケーシング２７ａ内に収容されて設けられ、図４にも示すように、ケーシング２７ａの底面と、冷蔵室２側の面における上部が開放されていて、それぞれ空気の取入口２９と、空気の吹出口３０とされており、その空気の吹出口３０の前面には庫内ファン３１が取り付けられている。
【００１５】
図３に示すように、圧縮機２０の出口と凝縮器２３の入り口とが配管３３で接続され、凝縮器２３の出口と冷却器２７の入り口とが配管３４で接続され、また冷却器２７の出口と圧縮機２０の入り口とが配管３５で接続され、これにより冷却サイクルが構成されている。上記の配管のうち、冷却器２７に出し入れされる配管３４，３５は途中で一緒になって断熱材チューブで被包されており、冷却室蓋２５の左側の端縁部分から側方に引き出されている。両配管３４，３５の冷却室蓋２５から引き出される部分は、半円形をなす押さえ具３７で固定される一方、冷却室９の出入口１０の側縁には、上記の押さえ具３７が嵌合される凹部３８が形成されている。
冷却室９の前面壁における出入口１０の周縁には、上記の凹部３８を含めて断熱パッキン３９が貼着されている。また前面壁の上下両縁からは一対の取付ボルト４１が突設される一方、冷却室蓋２５には取付ボルト４１の挿通孔４２が設けられている。冷却室蓋２５の前面側には、電装箱４３が取り付けられている。
【００１６】
そして冷却ユニット６は、既述のように基板１５が受け板１３の上に押し込まれるとともに、冷却器２７が出入口１０を通して冷却室９内に挿入される。押し込みの途中で、取付ボルト４１が冷却室蓋２５の挿通孔４２に挿通され、所定位置まで押し込まれると、配管の押さえ具３７が凹部３８に嵌まりつつ、冷却室蓋２５が断熱パッキン３９を介して冷却室９の前面壁に当接し、冷却室蓋２５を貫通した取付ボルト４１の突出端にナット５６（図５参照）を螺合して締め付けると、冷却室蓋２５が冷却室９の出入口１０を気密に閉鎖する。また、基板１５は既述した要領で受け板１３に固定され、これにより冷却器２７が冷却室９内に収容され、一方圧縮機２０、凝縮器ファン２１および凝縮器２３が収納スペース１１に収納されることとなる。
【００１７】
一方庫内では、図４に示すように、冷却室９と冷蔵室２の間において冷気の案内板４５が設けられている。この案内板４５は、庫内ファン３１の下方位置から冷蔵室２の天井面の少し下方位置に向けて斜め前方に延出されて設けられている。その案内板４５の下面からは、冷蔵室２の底面の少し上方位置まで垂下された帰還用板４６が設けられ、この帰還用板４６と、冷蔵室２と収納スペース１１とを仕切る本体１の側壁１ａの間には所定のスペースが設けられ、その間に冷却器２７の取入口２９に達する帰還路４７が構成されている。
したがって、冷却ユニット６が駆動されると、図４の矢線に示すように、冷蔵室２内の空気が帰還路４７を通って冷却器２７の下面側の取入口２９から吸引され、冷気に変換されたのち、庫内ファン３１から案内板４５の上面を通って冷蔵室２の天井面側に吹き出され、すなわち冷蔵室２に冷気が循環供給されるようになっている。
【００１８】
また冷却ユニット６の収納部分はパネルで覆われている。この部分の構造を図５ないし図７により説明する。図６に示すように、本体１の天井板６１は、その前面側の端縁において手前側に突出されてコ字形断面に曲成され、後記する天板７７を嵌めるための嵌込み部６２が形成されている。膨出部８の奥側の天井面には、コーナ板６３が本体１の天井板６１と面一に張られる。そのコーナ板６３の左側面から膨出部８の上端の左側面にわたって、補強部材６４が本体１の天井板６１と面一に取り付けられる。この補強部材６４は金属板を伏コ字形に曲げ加工して形成され、上記のように取り付けられた場合に、その手前側の端部が膨出部８の前面壁よりも手前側に所定寸法突出する。補強部材６４の手前側の端面には、後記するマグネット８５を取り付けるための取付板６５が形成されている。
【００１９】
膨出部８ならびに収納スペース１１の側方を覆うようにしてサイドパネル６７が張られる。このサイドパネル６７は、上端部が内方に引っ込むように段付き状とされることで、補強部材６４に対する取付部６８が形成されている。サイドパネル６７はまず、補強部材６４から受け板１３を吊り下げた支持フレーム１４の外側に当てられるようにして張られ、下端側の所定箇所を受け板１３の側板ならびに支持フレーム１４にねじ止めすることで固定される。
【００２０】
このように固定されたサイドパネル６７は、その前縁が本体１の前面と略一致する位置まで突出し、その前縁には直角曲げされた所定幅のフランジ７０が形成されている。このフランジ７０の上下の端部には、図５に示すように、補強部材６４に設けられた取付板６５を逃がす切欠部７１と、冷却ユニット６の基板１５の出し入れを許容するための切欠部７２がそれぞれ設けられている。なお、膨出部８とサイドパネル６７の間のスペースの奥方は、サイドパネル６７の奥縁側を直角曲げして形成したパネル（図示せず）で覆われるとともに、収納スペース１１の奥方にはリヤパネル７４が張られる。
【００２１】
また、図７に示すように、膨出部８の手前側の天井面には、天板嵌込み板７５が、その一部を本体１の天井板６１と補強部材６４上に重ねるようにして取り付けられる。天板嵌込み板７５の手前側の端縁には、コ字形断面に曲成された嵌込み部７６が、本体１側の嵌込み部６２と一列に整合するようにして形成されている。そして天板７７は、その手前側の端縁を、本体１と天板嵌込み板７５の嵌込み部６２，７６にわたって嵌め、左側縁をサイドパネル６７の取付部６８の外側に嵌めつつ被せられ、左側縁をサイドパネル６７の取付部６８とともに補強部材６４にねじで共締めすることによって固定される。これにより、前面が開口された本発明の機械室７８が構成される。
【００２２】
この機械室７８の前面には、フロントパネル８０が開閉可能に装着される。詳細には図１，３に示すように、本体１の前面の左端部に、フロントパネル８０がヒンジ８１を介して揺動自由に支持され、その揺動端がサイドパネル６７の前縁に形成されたフランジ７０に当接されることで閉鎖されるようになっている。
【００２３】
なおフロントパネル８０の下部側には、複数の外気の吸気口８２が全面にわたって開口されているとともに、上部側における冷却室９とサイドパネル６７の間の空間と対応する部分には排気口８３が形成され、リヤパネル７４並びにサイドパネル６７にも排気口８３が形成されている。したがって冷却運転中には、凝縮器ファン２１の駆動によって外気がフロントパネル８０の吸気口８２から収納スペース１１内に吸引され、凝縮器２３を冷却して熱交換された暖排気が上記した各排気口８３から外部に排気されるようになっている。
【００２４】
さて本実施形態では、上記したフロントパネル８０を閉鎖状態に保持するための上下一対のマグネットキャッチ８５が設けられている。まず、上側のマグネットキャッチ８５は、補強部材６４に設けられた既述の取付板６５に取り付けられる。この取付板６５は、組み付け状態においては、図５に示すように、その下端部が天板７７よりも下方に突出するとともに、図８に示すように、サイドパネル６７のフランジ７０よりも所定寸法奥方に位置するように設定されている。この取付板６５の天板７７よりも下方に突出した部分の所定位置に、マグネットキャッチ８５の取付孔８６が開口されている。
【００２５】
マグネットキャッチ８５は本体８５ａとケース８５ｂとを備えており、本体８５ａの先端側に係止鍔８７が設けられて、係止鍔８７の表面にマグネット８８が装着されているとともに、後端面からはねじ棒８９ａが突設されている。一方のケース８５ｂは、本体８５ａが嵌合可能な有底の筒形をなし、底部にはねじ孔８９ｂが切られている。そして本体８５ａが取付孔８６内に表面側から挿入されて、裏面側に配されたケース８５ｂに嵌合され、ねじ棒８９ａをねじ孔８９ｂに螺合して締め付けることにより、係止鍔８７とケース８５ｂとで取付板６５を挟んで固定されている。この時、マグネット８８の吸着面が、フランジ７０の前面と同一面に来るように設定されている。
【００２６】
一方の下側のマグネットキャッチ８５は、冷却ユニット６の基板１５に設けられた把手１７における手前側の側板１７ｂに取り付けられる。そのため、冷却ユニット６の基板１５が受け板１３上に押し込まれて、把手１７の奥側の側板１７ａが受け板１３のねじ受け片１８に当たったところ、すなわち基板１５が正規位置まで押し込まれたところでは、把手１７の手前側の側板１７ｂは、図９に示すように、サイドパネル６７のフランジ７０から、上記の取付板６５と同一寸法だけ奥方に入り込むように設定されている。この把手１７の側板１７ｂにおける上側の取付孔８６と同一鉛直線上に、マグネットキャッチ８５の取付孔８６が開口されている。
そして上記と同じ要領により、係止鍔８７とケース８５ｂとで側板１７ｂを挟持しつつマグネットキャッチ８５が固定され、マグネット８８の吸着面がフランジ７０の前面と同一面に来るように設定されている。
【００２７】
本実施形態は上記のような構造であって、冷却ユニット６を収納する場合は、フロントパネル８０を開放しておいて基板１５を受け板１３の上に載せて押し込むことで行われ、各機器が冷却室９ならびに収納スペース１１に分かれて収納される。正規位置まで押し込まれたところで、冷却室蓋２５を冷却室９の出入口１０に固定するとともに、把手１７の奥側の側板１７ａを受け板１３のねじ受け片１８にねじ止めして固定すると、把手１７の手前側の側板１７ｂに取り付けられた下側のマグネットキャッチ８５のマグネット８８は、図９に示すように、サイドパネル６７のフランジ７０の下端部の側方において、吸着面をフランジ７０の前面と同一平面上に位置させた状態で設けられる。一方、上側のマグネットキャッチ８５は、補強部材６４の取付板６５に取り付けられていて、マグネット８８はサイドパネル６７のフランジ７０の上端部の側方、言い換えると、下側のマグネット８８の真上の位置において、その吸着面をフランジ７０の前面と同一平面上に位置させて設けられている。
【００２８】
したがってフロントパネル８０を閉じると、フロントパネル８０の揺動端がフランジ７０に密着状に当接されて閉鎖され、それとともに上下の端縁の揺動端に近い部分が、上下のマグネット８８によりそれぞれ磁気吸着されて、閉鎖状態に保持されることになる。
【００２９】
上記のように本実施形態では、上下一対のマグネット８８を天井側の補強部材６４に設けた取付板６５と、冷却ユニット６の引き出し操作用の把手１７とに設ける構造としたので、従来のようにマグネットをサイドパネルのフランジに設ける場合と比較すると、以下のような数々の利点が得られる。
フランジ７０にわざわざマグネット８８（マグネットキャッチ８５）の取付用の凹部を形成する必要がなく、それだけ加工工程が簡単となる。また、狭い凹部にマグネットキャッチ８５を取り付けなくても良いので、取付作業が簡単となる。もってコストダウンを図ることができる。
マグネット８８がフロントパネル８０の最上部と最下部に対応する位置に設けられ、フロントパネル８０の最上部と最下部を吸着することができるので、強固に閉鎖状態に保持することができる。また、機械室７８側で最も目立たない箇所にマグネット８８が設けられることになるので、外観もすっきりとまとまる。
【００３０】
取付用の凹部を切欠いて形成した場合と比較すると、ごみ等が溜まりにくくなって、磁気吸着力の低下を防止することができる。また、電装箱４３の設定操作をする場合に切欠きに引っ掛けるようなこともない。
さらに、フランジ７０にマグネット８８（マグネットキャッチ８５）を取り付けなくても良いということは、フランジ７０の幅を極力狭く設定することができ、その分、冷却ユニット６の出し入れ用の開口面積が広くできて、出し入れがやりやすくなり、また、凝縮器２３と熱交換した後の暖排気の排気面積も大きく取ることが可能となって、凝縮効率を高めることができ、ひいては冷却能力を向上させることができる。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は揺動開閉式の扉に限らず、スライド扉や引出し扉といった他の形式の開閉扉を設けたものにも適用することが可能である。
（２）また本発明は冷蔵庫に限らず、解凍庫、冷凍庫あるいは温蔵庫といった他の貯蔵庫で、温度制御ユニットが引き出し形式で収納されるもの全般に広く適用することができる。
【図面の簡単な説明】
【図１】  本発明の一実施形態に係る冷蔵庫の正面図である。
【図２】  その側面図である。
【図３】  冷却ユニットを収納する前の状態の斜視図である。
【図４】  冷蔵庫の内部を示す断面図である。
【図５】  機械室を前方から見た正面図である。
【図６】  機械室の分解斜視図である。
【図７】  天板を取り付ける前の斜視図である。
【図８】  上部側のマグネットの取付位置を示す一部切欠平面図である。
【図９】  下部側のマグネットの取付位置を示す一部切欠平面図である。
【図１０】  従来例の斜視図である。
【符号の説明】
１…本体  ２…冷蔵室  ６…冷却ユニット  １５…基板  １７…把手  １７ｂ…（把手１７の手前側の）側板  ６４…補強部材  ６５…取付板  ６７…サイドパネル  ７０…フランジ（当接部材）  ７８…機械室  ８０…フロントパネル  ８５…マグネットキャッチ  ８８…マグネット
【図１】
0003828606.tif 000002
【図２】
0003828606.tif 000003
【図３】
0003828606.tif 000004
【図４】
0003828606.tif 000005
【図５】
0003828606.tif 000006
【図６】
0003828606.tif 000007
【図７】
0003828606.tif 000008
【図８】
0003828606.tif 000009
【図９】
0003828606.tif 000010
【図１０】
0003828606.tif 000011